(57)【要約】【課題】１種類の製品でどの身体部位にも装着可能で、個人差に合わせてサイズ調整が可能な磁気装身リングを提供する。【解決手段】表面がＴｉで被覆された球状磁石１０の複数が磁気により相互に吸着してリング１００を形成する。【選択図】図１
0003104645.tif 000002
【実用新案登録請求の範囲】
【請求項１】
表面がＴｉで被覆された球状磁石の複数が磁気により相互に吸着してリングを形成することを特徴とする磁気装身リング。
【請求項２】
表面がＴｉ化合物で被覆された球状磁石の複数が磁気により相互に吸着してリングを形成することを特徴とする磁気装身リング。
【請求項３】
前記リングの一部に磁性材料からなる飾り部材が含まれることを特徴とする請求項１または２に記載の磁気装身リング。
【請求項４】
前記リングの一部にチェーンで連結された一対の磁性材料からなる飾り部材が含まれることを特徴とする請求項１または２に記載の磁気装身リング。
【考案の詳細な説明】
【技術分野】
【０００１】
本考案は、磁気装身リングに関し、とくにブレスレット、ネックレス等として使用される磁気健康リングに関するものである。
【背景技術】
【０００２】
従来から、ネックレス、ブレスレット、指輪等のリング形状の装身具（以下、装身リング）に、健康増進機能を付加した磁気健康器具や磁気治療器具等が広く知られている。これらの健康増進機能を付加したブレスレット等には、永久磁石が使用されている。
【０００３】
これらの製品を身体に着けて、永久磁石による磁力線を人体に作用させると、電磁誘導によってその身体部位の血液中に誘導電流が生じ、血行が促進される。これにより、血液の循環が促進され、うっ血等を解消したり肩こりや筋肉痛をやわらげたりするほか、血液中のイオンを増加させて自律神経の働きをよくすることが可能である。
【０００４】
しかしながら、従来の磁気装身リングにおいては、金属製の棒を円弧状に折り曲げたリングにメッキを施した後で孔を開けた磁石（マグネット）を多数挿通したもの等であった。したがって、サイズ調整が難しく、装着者が腕のサイズに合わせてサイズを調整することはできないので、各種サイズのものを取りそろえる必要があった。
【０００５】
この問題に対して、弾性を有する金属製芯線に円筒形状の磁石を複数挿通させたリングとし腕の太さに合わせて前記芯線を湾曲させるとともに該芯線の両端の間隔を開閉することで装着者が腕のサイズに合わせたサイズ調整が可能な磁気装身リングが提案されている（例えば、特許文献１参照。）。
【０００６】
また、５ｍｍφ×１０ｍｍ程度の円柱形状で表面に金めっきが施された永久磁石を複数用いて、その円周面を相互に磁気により吸着させてリング形状とし、該永久磁石の数を加減することで各個人の腕のサイズに容易に合わせることが可能な磁気装身リングが提供されている。
【０００７】
【特許文献１】登録実用新案第３０９８２４８号公報
【考案の開示】
【考案が解決しようとする課題】
【０００８】
しかしながら、特許文献１記載の磁気装身リングであっても芯線の長さで身体に装着可能な太さの範囲が決まってしまうため、例えば子供のような非常に細い腕、あるいは非常に太い腕には装着できないことがあった。
【０００９】
また、上記磁気装身リングであっても、ブレスレット用、ネックレス用など装着する身体部位ごとにリングのサイズを取り揃える必要があった。
【００１０】
さらに、上記磁気装身リングを太い腕に装着した場合には、該リングの両端が開いて磁石に覆われない部分ができてしまい、その部分は永久磁石の磁力線を作用させることができないため、健康増進の点でも不充分であった。
【００１１】
上記円柱形状の永久磁石複数を相互に磁気吸着させてリングとするものでは、永久磁石相互の吸着が線接触であるため、その接触している部分が傷付き易く、長く装着しているとめっきが剥がれやすかった。また、めっき剥離部分が人体を傷付ける可能性があった。さらに、円柱形状が繋がった筒状のリングであるため、手足への装着には問題がなくても、ネックレスとして首回りに装着する際には不適であった。
【００１２】
本考案は、以上の従来技術における問題に鑑みてなされたものであり、１種類の製品でどの身体部位にも装着可能で、個人差に合わせてサイズ調整が可能で安全な磁気装身リングを提供することを目的とする。
【課題を解決するための手段】
【００１３】
前記課題を解決するために提供する本考案は、表面がＴｉで被覆された球状磁石の複数が磁気により相互に吸着してリングを形成することを特徴とする磁気装身リングである（請求項１）。
【００１４】
また、前記課題を解決するために提供する本考案は、表面がＴｉ化合物で被覆された球状磁石の複数が磁気により相互に吸着してリングを形成することを特徴とする磁気装身リングである（請求項２）。
【００１５】
ここで、請求項１，２の考案では、前記リングの一部に磁性材料からなる飾り部材が含まれるようにしてもよい。また、前記リングの一部にチェーンで連結された一対の磁性材料からなる飾り部材が含まれるようにしてもよい。
【考案の効果】
【００１６】
本考案によれば、球状磁石の数を調整することにより、リングのサイズを任意に調整することが可能である。また、球状磁石の磁力により該球状磁石相互が強固に吸着するのでリングが切れることなく身体に装着できるとともに、この磁力の作用により健康増進を図ることができる。さらに、球状磁石相互が点接触で吸着しているため、該球状磁石表面が傷付きにくい。また、球状磁石の表面がＴｉあるいはＴｉ化合物で被覆されているので、より球状磁石表面の傷付きは抑制されて剥離しにくく磁石の腐食が抑制されるとともに球状磁石が身体に接触しても金属アレルギーを起こすことがなく安全に装着できる。
【考案を実施するための最良の形態】
【００１７】
以下に、本考案に係る磁気装身リングの第１の実施の形態について説明する。
図１は、本考案に係る磁気装身リングの第１の実施の形態における構成を示す概略図である。図１に示すように、磁気装身リング１００は、複数の球状磁石１０が磁気により相互に吸着してリングを形成してなるものである。
【００１８】
球状磁石１０は、球状の磁石本体を核として、その表面にＴｉが被覆されてなるものである。その例を図２に示す。球状磁石１０は、球状の磁石本体１１の表面に下地層１２、Ｔｉ層１３が順次形成された構成である。
【００１９】
磁石本体１１は、球形状に形成された永久磁石である。形状を球とすることにより、球状磁石１０を相互に吸着させてリングとした場合に隣接する球状磁石１０相互間でその接点がわずかにずれることのできる自由度（遊び）を付与することができるため、リングとして撓ませることができ装身具として好適である。また、隣接する球状磁石１０相互は点接触で吸着しているため、接触部分の球状磁石１０表面は傷付きにくい。さらに、球状磁石１０が球形であることにより装着された身体、あるいは外部との接触面積を小さくできるため、その表面の傷付きを最小限に抑えることもできる。
【００２０】
また、永久磁石として、フェライト磁石、希土類磁石、アルニコ磁石（Ａｌ−Ｎｉ−Ｃｏ）などいずれの磁石でもよいが、希土類磁石が好ましい。また、本考案では残留磁気密度及び保磁力が大きく、軽量の球形の磁石が望ましいことを考慮すると、希土類磁石のうち、Ｎｄ−Ｆｅ−Ｂ系磁石であることがより好ましい。
なお、この磁石同士の吸着力は、球状磁石１０からなる磁気装身リング１００として装着していても球状磁石１０同士が切離されることはないが、人の力で磁石同士を引き離すことができる程度であることが好ましい。
【００２１】
また、磁石本体１１の直径は５〜２０ｍｍφであることが好ましい。とくに６〜１０ｍｍφ程度がより好ましい。
【００２２】
下地層１２は、磁石本体１１の防食、表層のＴｉ層１３の密着性、及び球状磁石１０としての表面の平滑性を確保するために設ける表面処理層である。例えば、電気Ｎｉめっきや電気Ｎｉ／Ｃｕ／Ｎｉ積層めっきなどでよい。なお、Ｔｉ層１３だけで上記目的を達成できるのであれば下地層１２は省略してもよい。
【００２３】
Ｔｉ層１３は、真空薄膜形成技術で形成されたＴｉ薄膜である。このＴｉ層１３により磁石本体１１を防食するとともに球状磁石１０としての傷付きを防止することができる。また、球状磁石１０が身体に接触しても金属アレルギーを起こすことがない。
【００２４】
Ｔｉ層１３を形成するための真空薄膜形成技術として、所定の材料を加熱蒸発させて被処理体に被着させる真空蒸着法、およびアルゴンを主成分とする雰囲気中でグロー放電を起こし、生じたアルゴンイオンでターゲットの表面原子をたたき出すスパッタリング法等のいわゆる物理的成膜法（ＰＶＤ法）であればよく、とくに下地層１２が形成された磁石本体１１複数をカゴにいれた状態でバッチ処理する方式の真空成膜装置を用いればよい。
【００２５】
Ｔｉ層１３の膜厚は、１〜１０μｍが好ましい。
【００２６】
なお、Ｔｉ層に代えて、ＴｉＮ，ＴｉＣ，ＴｉＣＮ，ＴｉＯ２などのＴｉ化合物の薄膜を真空薄膜形成技術で形成してもよい。これにより、耐傷付き性が向上するとともに着色することができるため意匠性も向上させることができる。
【００２７】
本考案の磁気装身リング１００を形成するに当たっては、上記球状磁石１０をその用途に応じた個数を用いて該球状磁石１０相互をその磁気により吸着させて、すなわち一方の球状磁石１０のＮ極と他方の球状磁石１０のＳ極とを吸着させてリング形状に形成すればよい。また、球状磁石１０をさらに加えたり、あるいはリングから取り除いたりすることでそのリングサイズを容易に調整することが可能である。
また、磁気装身リング１００の磁気作用については複数の球状磁石１０により行われる。人体に磁石が作用すると、電磁誘導作用によってその部位の血液中に誘導電流を生じ、これにより血行が促進されるので、血液の循環が良くなり、うっ血等を解消したり肩こりや筋肉痛をやわらげたりすることが可能である。また、血液中のイオンを増加させて自律神経の働きをよくする作用があることが知られており、健康器具としての意義も大きいものである。とくに本考案によれば球状磁石１０が装着した身体部位全周をカバーするため、その健康増進効果は大きい。
【００２８】
次に、本考案に係る磁気装身リングの第２の実施の形態について説明する。
図３は、本考案に係る磁気装身リングの第２の実施の形態の構成を示す概略図である。
磁気装身リング２００は、図１に示した磁気装身リング１００の一部に磁性材料からなる飾り部材２０が含まれる構成である。
【００２９】
飾り部材２０は、隣接する球状磁石１０とその磁気で吸着される材料からなればよく、例えば防錆処理されたフェライト系材料、磁石本体１１と同じ永久磁石等が挙げられる。また、飾り部材２０は見栄えをよくして磁気装身リング２００としての装飾性を向上させるものであり、図３に示す様に球状磁石１０とは異なる形状、例えば直方体やプレート形状とし、さらにその平坦部に所持者の名前などを彫金などにより表示するようにしてもよい。
【００３０】
この磁気装身リング２００の使用方法は、第１の実施の形態で示した磁気装身リング１０の使用方法と同様である。
なお、図３では飾り部材２０が１つ含まれる例を示したが、これに限られるものではなく、複数の飾り部材２０それぞれが球状磁石１０に挟まれる態様でリングに配置されていてもよい。
【００３１】
次に、本考案に係る磁気装身リングの第３の実施の形態について説明する。
図４は、本考案に係る磁気装身リングの第３の実施の形態の構成を示す概略図である。
磁気装身リング３００は、図１に示した磁気装身リング１００の一部にチェーン４０で連結された一対の磁性材料からなる飾り部材３０が含まれる構成である。
【００３２】
飾り部材３０は、隣接する球状磁石１０とその磁気で吸着される材料からなればよく、例えば防錆処理されたフェライト系材料、磁石本体１１と同じ永久磁石等が挙げられる。また、飾り部材３０は見栄えをよくして磁気装身リング３００としての装飾性を向上させるものであり、図４に示す様に球状磁石１０とは異なる形状、例えば直方体やプレート形状とすればよい。
【００３３】
チェーン４０は、その一端が一方の飾り部材３０の端末に固定され、他端が他方の飾り部材３０の端末に固定されることで一対の飾り部材３０を連結するものである。また、チェーン４０は、装身具としてのチェーンに適した材料であればよく、非磁性材料であることが好ましい。
【００３４】
この磁気装身リング３００の使用方法は、第１の実施の形態で示した磁気装身リング１０の使用方法と同様である。
なお、図４では一対の飾り部材３０とチェーン４０のセットが１つ含まれる例を示したが、これに限られるものではなく、一対の飾り部材３０とチェーン４０の複数セットのそれぞれが球状磁石１０に挟まれる態様でリングに配置されていてもよい。
【００３５】
本実施形態で示した磁気装身リングは人体に装着する前提で説明したが、これに限定されずペットや家畜などの人間以外の動物に装着するようにしてもよい。
【実施例】
【００３６】
本考案の磁気装身リングを実際に作製した例を以下に説明する。なお、本実施例は例示であり、本考案を限定するものではない。
（１）球状磁石
マグナ社製の金めっき処理された球形のＮｄ−Ｆｅ−Ｂ系磁石（ネオジ磁石ボール型、直径８ｍｍ）を用いて、その表面にイオンプレーティング装置でＴｉ層を形成し球状磁石とした。その構成は次の通りである。
・磁石本体：Ｎｄ−Ｆｅ−Ｂ系磁石
・下地層：Ｎｉ／Ｃｕ／Ｎｉ／Ａｕ積層めっき
・Ｔｉ層：膜厚２μｍ
（２）磁気装身リング
上記球状磁石を２５個を１セットとし、該球状磁石を相互に磁気により吸着させてリングを形成し、ブレスレットとした。
このブレスレットを腕に装着したところ、装着感は良好であった。また、このリングに球状磁石をさらに１個あるいは複数個挿入したり、リングから球状磁石を１個あるいは複数個取り除いたりすることでリングサイズを容易に調整することができた。
【図面の簡単な説明】
【００３７】
【図１】本考案に係る磁気装身リングの第１の実施の形態の構成を示す概略図である。
【図２】球状磁石の構成を示す断面図である。
【図３】本考案に係る磁気装身リングの第２の実施の形態の構成を示す概略図である。
【図４】本考案に係る磁気装身リングの第３の実施の形態の構成を示す概略図である。
【符号の説明】
【００３８】
１０…球状磁石、１１…磁石本体、１２…下地層、１３…Ｔｉ層、２０，３０…飾り部材、４０…チェーン、１００，２００，３００…磁気装身リング
【図１】
0003104645.tif 000003
【図２】
0003104645.tif 000004
【図３】
0003104645.tif 000005
【図４】
0003104645.tif 000006